(57)【要約】【課題】長さ調節自在のアイロン台の脚を提供する。【解決手段】  一端５ａをアイロン台の台部１に取り付けた中空外杆５と、該中空外杆の内側に摺嵌した内杆７と、該内杆を所望の位置にて該中空外杆に固定するための固定手段９とよりなることを特徴とするアイロン台の脚。前記固定手段は、前記内杆には該内杆を内外に貫く透孔を形成し、ばねに支持させた突起を該透孔に対し出没自在に配設し、該ばねは突起を常時内杆の外方に付勢し、前記中空外杆における所望の位置には該突起を貫通させるための複数の貫通孔を形成してなる。【選択図】図１
0003120823.tif 000002
【実用新案登録請求の範囲】
【請求項１】
一端をアイロン台の台部に取り付けた中空外杆と、該中空外杆の内側に摺嵌した内杆と、該内杆を所望の位置にて該中空外杆に固定するための固定手段とよりなることを特徴とするアイロン台の脚。
【請求項２】
前記固定手段は、前記内杆には該内杆を内外に貫く透孔を形成し、ばねに支持させた突起を該透孔に対し出没自在に配設し、該ばねは突起を常時内杆の外方に付勢し、前記中空外杆における所望の位置には該突起を貫通させるための複数の貫通孔を形成してなることを特徴とする請求項１に記載のアイロン台の脚。
【請求項３】
前記固定手段は、前記中空外杆の他端部外周を他端に向かって先細となるテーパ面となし、該テーパ面に雄ねじを形成し、該雄ねじには雌ねじを備えた締付環を螺合させ、該締付環を締め付けることにより該中空外杆の他端部内面を前記内杆に押圧するようにしてなることを特徴とする請求項１に記載のアイロン台の脚。
【請求項４】
前記固定手段は、前記中空外杆には該中空外杆を内外に貫く雌ねじ孔を形成し、該雌ねじ孔には止めねじを螺合させ、該止めねじを締め付けたときに該止めねじの先端が前記内杆を押圧するようにしてなることを特徴とする請求項１に記載のアイロン台の脚。
【考案の詳細な説明】
【技術分野】
【０００１】
本考案は、アイロン台の脚に関するものである。
【背景技術】
【０００２】
アイロン台は、例えば本考案者が提案している実用新案登録第３０８９５２５号公報に示すように、台部の下面に脚を回動自在に取り付けてなるものが従来より広く知られている。
【特許文献１】実用新案登録第３０８９５２５号公報
【考案の開示】
【考案が解決しようとする課題】
【０００３】
従来のアイロン台の脚は、回動自在ではあるものの、長さ調節不能であるため、台部を必ずしも所望の高さにセットすることができないという問題がある。
【０００４】
本考案は、従来のアイロン台の脚における上述の問題を解決するために、長さ調節自在のアイロン台の脚を提供しようとしてなされたものである。
【課題を解決するための手段】
【０００５】
上記課題を解決するために、本考案は下記のアイロン台の脚を提供する。
【０００６】
（１）一端をアイロン台の台部に取り付けた中空外杆と、該中空外杆の内側に摺嵌した内杆と、該内杆を所望の位置にて該中空外杆に固定するための固定手段とよりなることを特徴とするアイロン台の脚（請求項１）。
【０００７】
（２）前記固定手段は、前記内杆には該内杆を内外に貫く透孔を形成し、ばねに支持させた突起を該透孔に対し出没自在に配設し、該ばねは突起を常時内杆の外方に付勢し、前記中空外杆における所望の位置には該突起を貫通させるための複数の貫通孔を形成してなる（請求項２）。
【０００８】
（３）前記固定手段は、前記中空外杆の他端部外周を他端に向かって先細となるテーパ面となし、該テーパ面に雄ねじを形成し、該雄ねじには雌ねじを備えた締付環を螺合させ、該締付環を締め付けることにより該中空外杆の他端部内面を前記内杆に押圧するようにしてなる（請求項３）。
【０００９】
（４）前記固定手段は、前記中空外杆には該中空外杆を内外に貫く雌ねじ孔を形成し、該雌ねじ孔には止めねじを螺合させ、該止めねじを締め付けたときに該止めねじの先端が前記内杆を押圧するようにしてなる（請求項４）。
【００１０】
［考案の作用］
［請求項１の考案］
アイロン台の脚の長さを調節する際には、中空外杆の内側に摺嵌した内杆を該中空外杆に対し所望の位置まで摺動させ、該内杆を固定手段により当該位置にて該中空外杆に固定する。
【００１１】
［請求項２の考案］
突起は、ばねの力により内杆の透孔と中空外杆の貫通孔とを貫いて中空外杆の外方に突出している。
【００１２】
アイロン台の脚の長さを調節する際には、中空外杆の外方に突出している突起をばねの力に抗して中空外杆における貫通孔の内側に押し込む。しかるときは突起とばねは内杆と共に中空外杆に対し移動自在となる。突起が中空外杆における所望の貫通孔に対応する位置に達するように内杆を摺動させると、突起はばねの力により内杆の透孔と中空外杆の当該所望の貫通孔とを貫いて中空外杆の外方に突出し、内杆を中空外杆に対して固定する。
【００１３】
［請求項３の考案］
アイロン台の脚の長さを調節する際には、締付環を緩めることにより内杆を中空外杆に対し摺動自在となし、該内杆を中空外杆に対し所望の位置まで摺動させ、該締付環を締め付けることにより内杆を当該位置にて中空外杆に固定する。
【００１４】
［請求項４の考案］
アイロン台の脚の長さを調節する際には、止めねじを緩めることにより内杆を中空外杆に対し摺動自在となし、該内杆を中空外杆に対し所望の位置まで摺動させ、該止めねじを締め付けることにより内杆を当該位置にて中空外杆に固定する。
【考案の効果】
【００１５】
本考案によれば、アイロン台の脚は長さ調節自在であるため、アイロン台はより広範囲で高さ調節自在となる。脚の長さ調節作業も極めて容易である。また、アイロン台の非使用時には、脚を短くすることにより、アイロン台をコンパクトに収納することができる。更に、脚を短くすることによりアイロン台の梱包も容易なものとなる。
【考案を実施するための最良の形態】
【００１６】
符号１に示すものはアイロン台の台部であり、符号３に示すものは台部１の下面に回動自在に取り付けられた脚である。好ましくは、一方の脚３は台部１に対して移動自在に取り付けられている。図１参照。
【００１７】
アイロン台の各脚３は、一端５ａをアイロン台の台部１に取り付けた中空外杆５と、該中空外杆５の内側に摺嵌した内杆７と、該内杆７を所望の位置にて該中空外杆５に固定するための固定手段９（９ａ、９ｂ、９ｃ）とよりなる。
【００１８】
図２、図３に示す固定手段９ａは、内杆７には該内杆７を内外に貫く透孔１１を形成し、ばね１３に支持させた突起１５を該透孔１１に対し出没自在に配設し、該ばね１３は突起１５を常時内杆７の外方に付勢し、中空外杆５における所望の位置には該突起１５を貫通させるための複数の貫通孔１７、１７・・・を形成してなる。
【００１９】
図２、図３に示す事例においては、内杆７の透孔１１と、中空外杆５の貫通孔１７と、突起１５とはそれぞれ相対向する位置に一対配設され、一対の突起１５を内杆7内に配設した略Ｕ字状ないし略Ｖ字状のばね１３に支持させている。
【００２０】
図４に示す固定手段９ｂは、中空外杆５の他端部５ｂ外周を他端５ｃに向かって先細となるテーパ面１９となし、該テーパ面１９に雄ねじ２１を形成し、該雄ねじ２１には雌ねじ２３を備えた締付環２５を螺合させ、該締付環２５を締め付けることにより該中空外杆５の他端部５ｂ内面を内杆７に押圧するようにしてなる。
【００２１】
図５に示す固定手段９ｃは、中空外杆５には該中空外杆５を内外に貫く雌ねじ孔２７を形成し、該雌ねじ孔２７には止めねじ２９を螺合させ、該止めねじ２９を締め付けたときに該止めねじ２９の先端２９ａが内杆７を押圧するようにしてなる。
【図面の簡単な説明】
【００２２】
【図１】本考案によるアイロン台の脚の一例を示す側面図である。
【図２】固定手段の一例を示す断面図である。
【図３】内杆の断面図である。
【図４】固定手段の別の一例を示す断面図である。
【図５】固定手段の更に別の一例を示す断面図である。
【符号の説明】
【００２３】
１  台部
３  脚
５  中空外杆
５ａ  一端
５ｂ  他端部
５ｃ  他端
７  内杆
９  固定手段
９ａ  固定手段
９ｂ  固定手段
９ｃ  固定手段
１１  透孔
１３  ばね
１５  突起
１７  貫通孔
１９  テーパ面
２１  雄ねじ
２３  雌ねじ
２５  締付環
２７  雌ねじ孔
２９  止めねじ
２９ａ  先端
【図１】
0003120823.tif 000003
【図２】
0003120823.tif 000004
【図３】
0003120823.tif 000005
【図４】
0003120823.tif 000006
【図５】
0003120823.tif 000007